(57)【特許請求の範囲】
【請求項１】
次の構成、構造からなる転倒、滑り移動転落防止装置
１．  取り付け土台部と、ハウジングとをボルト、ピン等で連結、折りたたみ可能式とし、そのハウジング内にはアームロッドの基部が挿入されており、そのアームロッドの基部は、T字型に造作されていて、ハウジング内部の中央に２個の同弾圧スプリングによって両側から挟む形でハウジング内部中央に平衡静止、係止する構造を封入、内蔵し、取り付け土台部と連結してハウジング本体を構成する。
２．  アームロッドは、ハウジング本体と対象物件とを連結する直棒状で、その基部は前記のとおりT字型をしておりハウジング内部中央で係止され、他方には先端部品が取り付けられて対象物件と連結し、同時に対象物件の上下振動、前後の揺れをハウジング本体に伝導すると共に支えるための部品である。
３．  アームロッド先端部品は、ボルトピン等でアームロッド先端部に取り付けられ、対象物件にビス或いは強力接着剤等で連結固定するための部品である。
【請求項２】
アームロッドに、伸縮自在に長さを調整できるターンバックルを採用していることを特徴とする請求項１の転倒、滑り移動転落防止装置。
【発明の詳細な説明】
【技術分野】
【０００１】
本発明は、地震による大きな揺れ、振動移動に対して、OA事務機器、及び家具、家電製品、観賞用水槽などの転倒、滑り移動転落防止装置に関するものである。
【背景技術】
【０００２】
従来、家具類の転倒防止装置としては、例えば箪笥の場合、当該室内の天井と当該箪笥の上部天板との間に伸縮自在、長さ調整できるようにした棒、或いは支柱で転倒防止するもの（既に販売されている「たおれん棒」など）、また家具類と被固定部とをL字型金具で直接に連結、固定するものが知られている。
【０００３】
しかし、前記棒あるいは支柱を箪笥上部に設置する場合、当該室内の天井の構造、状態により設置個所に制約を受け、また外見上もスマートさに欠ける。他方L字型金具等で柱、鴨居、なげし等被固定部に直接固定した場合、家具と被固定部との間隙及び位置（又は高低差）によっては、その取り付けに制約を受ける不便さがあり、また、家具類と被固定部との間には、揺れに微妙な時差、衝撃を伴いまた滑り移動するもので、これに対応、吸収緩和する柔軟性に欠ける。
【特許文献１】特開平８−３０８６６１号公報
【特許文献１】特開平８−３３６４３２号公報
【発明の開示】
【発明が解決しようとする課題】
【０００４】
前記従来の転倒防止装置においては、設置個所が、箪笥、キャビネットなどの上部或いは上部の背部への固定、設置を主とするもので、壁や柱から距離があるカウンター、カウンター上のファクス、電子レンジ、テレビ、観賞用水槽類などの滑り移動落下には対応できない欠点がある。
【０００５】
また、地震などの場合、固定体と家具類との振動、揺れには時間差がありまた衝撃もあるのでこれを吸収緩和する構造、機能が必要である。
【０００６】
解決しようとする問題点は、誰にでも扱いやすく簡単に取り付けられることが求められ、装置の設置場所を選ばず、揺れ、振動を吸収緩和して、これに対応、抑止するに十分な効果、能力を具備していること、及び外見上も小型でスマートな転倒、滑り移動転落防止装置を提供すること。
【課題を解決するための手段】
【０００７】
本発明は、地震などの大きな揺れ、振動を吸収緩和する機能を組み込んだ装置本体に、伸縮自在に長さを調整できるアームロッドと、その先端部に回動自在の部品で対象物件を連結し、対称物件を側面から抱き抱える、又は下から捉まえる形で支え固定することによってOA事務機器、及び家具、家電製品、観賞用水槽などの転倒、滑り移動、転落防止を意図するもので、誰にでも扱いやすく簡単に取り付けられることを最も主要な特徴とする。
【発明の効果】
【０００８】
本発明の転倒、移動転落防止装置は、設置場所を選ばず、地震時などの揺れ、振動を吸収緩和、移動転落を抑止する機能を備え、箪笥、キャビネット、ロッカー類だけでなくフロアー上に設置されているカウンター、カウンター上のフアックス、電子レンジ、テレビ、鑑賞用水槽類などにも対応できるもので、被害を最小限に抑え、また誰にでも扱いやすく簡単に取り付けられる。
【発明を実施するための最良の形態】
【０００９】
図７―イは、壁１８を背にした床面１７に冷蔵庫１４を設置している場合、図７−ロは、会社オフィス内フロアー１７上に置かれたカウンター１５及びカウンター上に置かれたファクス１６への本発明装置の設置、使用例で、ハウジング本体部分１・４を折りたたみ可能とし、ハウジング１内に揺れ、振動を吸収緩和する機能を内蔵、伸縮自在のアームロッド６を具備し、対称物件を両側面から抱き抱える、又は下から両側面を捉まえる形で固定するシンプルで簡単に取り付けられる転倒転落防止装置を提供するという目的を最小の部品点数で転倒移動転落防止に必要な機能を損なわずに実現した。
【実施例１】
【００１０】
図１は、本発明装置の斜視図であって、図７は本発明装置の具体的設置例である。
【００１１】
本発明装置は図１のように折りたたみ可能なハウジング本体１，４と対象物件１６を連結するアーム６及び対象物件に固定する取り付け固定部品８から成る装置である。
【００１２】
取り付け台４とハウジング１はボルトピン５で連結され、折りたたみ可能となりハウジング本体を構成、取り付け位置と対象物件との位置または、落差に対応する。また対象物件１６等の上下振動、滑り移動に対応する。
【００１３】
ハウジング１の内部構造は、アームロッド６から伸びるロッド３の先端に造作された、T字型部分を同弾圧のスプリングで両側から挟み込む形で等しく弾圧、ハウジング中央に平衡停止させる仕組みによって振動、衝撃を吸収緩和しようとするものである。
【００１４】
ハウジング１と対象物件に固定する取り付け固定部品８を連結するアームロッド６は、揺れによる引っ張り、押し戻しに耐え得る金属製で、基本は直棒であるが、多少の長短を調整できる所謂ターンバックルの構造を活用したアームロッド６がのぞましい。
【００１５】
アームロッド６は、ターンバックル使用の構造、図２−６、図５−イ、ロで、外観は六角柱状である。その構成は左右相対六角柱状螺子ナット６aに左右相対する螺子ボルト３，１１から成り、左右相対六角柱状螺子ナット６aに螺子ボルト３，１１をねじ込み、側面に覗き口７を設けて螺子ボルト３，１１の交合状態を確認しながら、左右相対六角柱状螺子ナット６aを右または左に回して長短を調整する仕組みになっている。アームロッド６を柱状に構成することによって、固定対象物と本体取り付け部間の押し戻し、引っ張り作用に対応する。これは使用例図７−イの冷蔵庫、箪笥、ロッカーなどの両側面から固定に有効である。
【００１６】
対象物件に固定する取り付け固定部品８はアームロッド６から伸びるロッド１１の先端に付属し、ボルトピン１２によって回動できるようロッド１１に取り付けられており、対象物件の上下振動に対応し、対象物件をしっかりと捕捉固定する。
【００１７】
なお前記規定部品の対象物件への取り付け面（接着面）はビス止めがのぞましいが、対象物件により強力接着剤による固定も可能である。
【産業上の利用可能性】
【００１８】
地震などの大きな揺れによる災害、とりわけ家屋内における家具、家電製品、観賞用水槽など、また会社事務所内におけるOA事務機器やロッカー類などの転倒、滑り移動、転落から未然に本発明の防止装置を提供することによって、器物破損及び人身傷害事故を最小限に食い止めようとするもので、防災器具として大いに役立つものと考える。
【図面の簡単な説明】
【００１９】
【図１】本発明装置の全体斜視図である。
【図２】本発明装置の全体断面図である。
【図３】（イ）土台取り付け部側面図  （ロ）同正面図  （ハ）同上面図
【図４】（イ）ハウジング部側断面図  （ロ）同正面図  （ハ）同背面図
【図５】（イ）アームロッド部側断面図  （ロ）同正面断面図
【図６】（イ）アームロッド先端部の取り付け部品上面図  （ロ）同側断面図  （ハ）同正面断面図  （ニ）同下面図
【図７】本発明装置の１実施例の側面図であって、（イ）は壁面に沿って置かれている冷蔵庫、食器棚、ロッカー、箪笥類の各々の側面に本発明装置を設置した場合の一例である。  （ロ）は会社事務所内などでの設置例で、フロアーに配置されているカウンターと、カウンター上のフアックスに本発明装置を設置した場合の一例である。
【符号の説明】
【００２０】
1    ハウジング
２    スプリング
３    T字型アームロッド
４    取り付け部土台
５    ボルトピン
６    ターンバックル部 
６a  六角柱状螺子ナット
７    ターンバックル調整用のぞき孔
８    アームロッド先端部品（対称物への連結固定部品）
９    取り付け用口穴
１０  連結用ピン口穴
１１  アームロッド（先端部品側）
１２  ボルトピン
１３  本発明装置
１４  冷蔵庫
１５  カウンターテーブル
１６  フアックス
１７  床、フロアー
１８  壁
１９  壁内の桟
【図１】
0003657951.tif 000002
【図２】
0003657951.tif 000003
【図３】
0003657951.tif 000004
【図４】
0003657951.tif 000005
【図５】
0003657951.tif 000006
【図６】
0003657951.tif 000007
【図７】
0003657951.tif 000008